(57)【要約】【課題】ある親商品について当該親商品を構成する子商品の改訂を行う場合に、改訂対象となる子商品を含む親商品全てについて、子商品の改訂及び親商品のリビジョン識別データの改訂を行える改訂実行装置等の提供を課題とする。【解決手段】本実施形態では、（１）親商品コードと親商品についてのリビジョン識別データと品種コードと子商品コードとを有する親商品レコードを含む構成マスタから、指定された品種コードで特定される品種に属する親商品についての親商品コードを有し、かつ、改訂の対象として指定された子商品コードを有する親商品レコードを抽出し、（２）前記抽出した親商品レコードが有する子商品コードを、改訂後の子商品コードとして指定されたものに改訂し、かつ、前記抽出した親商品レコードが有するリビジョン識別データを、当該リビジョン識別データで特定される順序の次の順序を特定する前記リビジョン識別データに改訂する。【選択図】図６
2020154494.tif 000002
【特許請求の範囲】
【請求項１】
制御部を備える改訂実行装置であって、
前記制御部は、
親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出手段と、
前記抽出手段で抽出した前記親商品レコードが有する前記子商品識別データを、改訂後の前記子商品識別データとして指定されたものに改訂し、かつ、前記抽出手段で抽出した前記親商品レコードが有する前記リビジョン識別データを、当該リビジョン識別データで特定される順序の次の順序を特定する前記リビジョン識別データに改訂する改訂手段と、
を備えること、
を特徴とする改訂実行装置。
【請求項２】
前記親商品レコードは、前記親商品１個を作るのに必要となる前記子商品の個数を更に有し、
前記改訂手段は、
前記抽出手段で抽出した前記親商品レコードが有する前記個数を、前記親商品１個を作るのに必要となる、改訂後の前記子商品の前記個数として指定されたものに改訂すること、
を特徴とする請求項１に記載の改訂実行装置。
【請求項３】
前記制御部は、
前記指定された品種識別データと、前記改訂手段において改訂の対象となった前記親商品レコードが有する前記親商品識別データと、前記改訂手段における改訂前後の前記リビジョン識別データと、前記改訂手段における改訂前の前記子商品識別データおよび当該改訂前であることを示す旨と、前記改訂手段における改訂後の前記子商品識別データおよび当該改訂後であることを示す旨と、を含む改訂伝票を作成する伝票作成手段
を更に備えること、
を特徴とする請求項１または２に記載の改訂実行装置。
【請求項４】
前記親商品が、機械品の製品であり、
前記子商品が、当該機械品の製品を構成する部品であり、
前記リビジョン識別データが、リビジョン番号であること、
を特徴とする請求項１から３のいずれか一つに記載の改訂実行装置。
【請求項５】
制御部を備える情報処理装置で実行される改訂実行方法であって、
前記制御部で実行される、
親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出ステップと、
前記抽出ステップで抽出した前記親商品レコードが有する前記子商品識別データを、改訂後の前記子商品識別データとして指定されたものに改訂し、かつ、前記抽出ステップで抽出した前記親商品レコードが有する前記リビジョン識別データを、当該リビジョン識別データで特定される順序の次の順序を特定する前記リビジョン識別データに改訂する改訂ステップと、
を含むこと、
を特徴とする改訂実行方法。
【請求項６】
制御部を備える情報処理装置に実行させるための改訂実行プログラムであって、
前記制御部に実行させるための、
親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出ステップと、
前記抽出ステップで抽出した前記親商品レコードが有する前記子商品識別データを、改訂後の前記子商品識別データとして指定されたものに改訂し、かつ、前記抽出ステップで抽出した前記親商品レコードが有する前記リビジョン識別データを、当該リビジョン識別データで特定される順序の次の順序を特定する前記リビジョン識別データに改訂する改訂ステップと、
を含むこと、
を特徴とする改訂実行プログラム。
【発明の詳細な説明】
【技術分野】
【０００１】
本発明は、改訂実行装置、改訂実行方法および改訂実行プログラムに関する。
【背景技術】
【０００２】
特許文献１には、製品を構成する部品を変更した際に、当該変更によって影響を受ける部品および製品の範囲を明確化したい場合において、部品の全階層に渡る検索を不要とし、ユーザの負担を軽減できる部品データベース管理装置が開示されている（特許文献１の０００４段落および０００５段落等参照）。
【先行技術文献】
【特許文献】
【０００３】
【特許文献１】特開２００５−３８０５７号公報
【発明の概要】
【発明が解決しようとする課題】
【０００４】
このように親商品（例えば、製品）と子商品（例えば、部品）を管理する分野においては、例えば、ある親商品を構成する子商品の改訂を行う場合に、改訂対象となる子商品を含む親商品すべてについて、子商品の改訂およびリビジョン識別データ（例えば、リビジョン番号）の改訂を行う必要がある。
【０００５】
例えば、親商品Ａに含まれる子商品ａ１を子商品ａ２に変更した場合に、子商品ａ１を含む製品として他にも親商品ＢおよびＣが存在する場合、親商品Ａについて、子商品ａ２への改訂およびリビジョン番号の改訂を行うのみならず、親商品ＢおよびＣについても、子商品ａ２への改訂およびリビジョン番号の改訂を行う必要がある。
【０００６】
しかしながら、当該改訂の作業は、担当者にとって大変な手間となっており、また、改訂漏れ発生のリスクの問題もあった。特に、親商品を構成する子商品の数が多い場合には、この問題は顕著であった。
【０００７】
本発明は、上記問題点に鑑みてなされたものであって、ある親商品について当該親商品を構成する子商品の改訂を行う場合に、改訂対象となる子商品を含む親商品すべてについて、子商品の改訂および親商品のリビジョン識別データの改訂を行うことができる改訂実行装置、改訂実行方法および改訂実行プログラムを提供することを目的とする。
【課題を解決するための手段】
【０００８】
上述した課題を解決し、目的を達成するために、本発明に係る改訂実行装置は、制御部を備える改訂実行装置であって、前記制御部が、親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出手段と、前記抽出手段で抽出した前記親商品レコードが有する前記子商品識別データを、改訂後の前記子商品識別データとして指定されたものに改訂し、かつ、前記抽出手段で抽出した前記親商品レコードが有する前記リビジョン識別データを、当該リビジョン識別データで特定される順序の次の順序を特定する前記リビジョン識別データに改訂する改訂手段と、を備えること、を特徴とする。
【０００９】
上述した課題を解決し、目的を達成するために、本発明に係る改訂実行装置は、前記親商品レコードが、前記親商品１個を作るのに必要となる前記子商品の個数を更に有し、前記改訂手段が、前記抽出手段で抽出した前記親商品レコードが有する前記個数を、前記親商品１個を作るのに必要となる、改訂後の前記子商品の前記個数として指定されたものに改訂すること、を特徴とする。
【００１０】
上述した課題を解決し、目的を達成するために、本発明に係る改訂実行装置は、前記制御部が、前記指定された品種識別データと、前記改訂手段において改訂の対象となった前記親商品レコードが有する前記親商品識別データと、前記改訂手段における改訂前後の前記リビジョン識別データと、前記改訂手段における改訂前の前記子商品識別データおよび当該改訂前であることを示す旨と、前記改訂手段における改訂後の前記子商品識別データおよび当該改訂後であることを示す旨と、を含む改訂伝票を作成する伝票作成手段を更に備えること、を特徴とする。
【００１１】
上述した課題を解決し、目的を達成するために、本発明に係る改訂実行装置は、前記親商品が、機械品の製品であり、前記子商品が、当該機械品の製品を構成する部品であり、前記リビジョン識別データが、リビジョン番号であること、を特徴とする。
【００１２】
また、本発明に係る改訂実行方法は、制御部を備える情報処理装置で実行される改訂実行方法であって、前記制御部で実行される、親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出ステップと、前記抽出ステップで抽出した前記親商品レコードが有する前記子商品識別データを、改訂後の前記子商品識別データとして指定されたものに改訂し、かつ、前記抽出ステップで抽出した前記親商品レコードが有する前記リビジョン識別データを、当該リビジョン識別データで特定される順序の次の順序を特定する前記リビジョン識別データに改訂する改訂ステップと、を含むこと、を特徴とする。
【００１３】
また、本発明に係る改訂実行プログラムは、制御部を備える情報処理装置に実行させるための改訂実行プログラムであって、前記制御部に実行させるための、親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出ステップと、前記抽出ステップで抽出した前記親商品レコードが有する前記子商品識別データを、改訂後の前記子商品識別データとして指定されたものに改訂し、かつ、前記抽出ステップで抽出した前記親商品レコードが有する前記リビジョン識別データを、当該リビジョン識別データで特定される順序の次の順序を特定する前記リビジョン識別データに改訂する改訂ステップと、を含むこと、を特徴とする。
【発明の効果】
【００１４】
本発明によれば、ある親商品について当該親商品を構成する子商品の改訂を行う場合に、改訂対象となる子商品を含む親商品すべてについて、子商品の改訂および親商品のリビジョン識別データの改訂を行うことができるという効果を奏する。
【図面の簡単な説明】
【００１５】
【図１】図１は、改訂実行装置の構成の一例を示すブロック図である。
【図２】図２は、製造構成親品目マスタ、製造構成子品目マスタおよびワークにおける項目の一例を示す図である。
【図３】図３は、自動改訂処理画面の一例を示す図である。
【図４】図４は、改訂部品登録画面の一例を示す図である。
【図５】図５は、改訂対象リストおよび構成マスタにおける具体的内容の一例を示す図である。
【図６】図６は、改訂前後の構成マスタにおける具体的内容の一例を示す図である。
【図７】図７は、作成される改訂伝票の一例を示す図である。
【発明を実施するための形態】
【００１６】
以下に、本発明に係る改訂実行装置、改訂実行方法および改訂実行プログラムの実施形態を、図面に基づいて詳細に説明する。なお、本実施形態により本発明が限定されるものではない。
【００１７】
［１．概要］
製造業（例えば、エンジンの製造）等において、製造に使用する部品点数が多くかつ前記部品を頻繁に変更する場合には、製品のリビジョン番号（≒バージョン番号）の変更作業が必要であるが、リビジョン番号の変更作業は非常に負荷が大きいという問題があった。例えば、最下位の部品が変更になった際に、一つ一つ上位の品番構成のリビジョン番号を変更するには、非常に手間がかかっていた。また、リビジョン番号の変更作業では変更の抜け漏れのリスクも高く、チェックも手間がかかるため、管理コストも大きくなるという問題もあった。なお、リビジョンとは、「改訂」等を意味する言葉であり、リビジョン番号とは、複数の前記改訂の版を識別するための通し番号のことである。
【００１８】
そこで、本実施形態においては、例えば、下位の構成（部品）が変更された際に上位の品番の構成（製品）を自動でリビジョンアップ（リビジョン番号に＋１する）ことを可能とした。これにより、例えば、リビジョン番号の変更作業の手間を削減し、更に、リビジョンアップの正確さを担保することができるようになった。
【００１９】
また、本実施形態においては、例えば、材料が変更になった際に、その材料を使用している関連製品を漏れなくリビジョンアップできるようにした。
【００２０】
そして、本実施形態においては、例えば、リビジョンアップした製品の一覧を、改訂伝票として確認できるようにした。これにより、例えば、過去に販売した製品の販売時のリビジョンを正確に捉えることができるため、使用部品の特定が確実なものとなる。以下、具体的な構成および動作について説明する。
【００２１】
［２．構成］
本実施形態に係る改訂実行装置１００の構成の一例について、図１を参照して説明する。図１は、改訂実行装置１００の構成の一例を示すブロック図である。
【００２２】
改訂実行装置１００は、市販のデスクトップ型パーソナルコンピュータである。なお、改訂実行装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２３】
改訂実行装置１００は、制御部１０２と通信インターフェース部１０４と記憶部１０６と入出力インターフェース部１０８と、を備えている。改訂実行装置１００が備えている各部は、任意の通信路を介して通信可能に接続されている。
【００２４】
通信インターフェース部１０４は、ルータ等の通信装置および専用線等の有線または無線の通信回線を介して、改訂実行装置１００をネットワーク３００に通信可能に接続する。通信インターフェース部１０４は、他の装置と通信回線を介してデータを通信する機能を有する。ここで、ネットワーク３００は、改訂実行装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する各種マスタ等のデータは、例えばサーバ２００に格納されてもよい。
【００２５】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２６】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２７】
記憶部１０６は、例えば、構成マスタ１０６ａを備えている。
【００２８】
構成マスタ１０６ａは、図５に示すように、親商品ごとの親商品レコード（Ａ〜Ｅを付した５つのレコード）を含む。前記親商品レコードは、図５に示すように、例えば、前記親商品を識別するための親商品識別データ（親商品コード）と、前記親商品についての複数の改訂（リビジョン）の版を識別するためのリビジョン識別データ（リビジョン番号）と、前記親商品が属する品種を識別するための品種識別データ（品種コード）と、前記親商品を構成する子商品を識別するための子商品識別データ（払出商品コード）と、当該子商品に対応する構成番号と、構成分子と、構成分母と、前記改訂を行う日付である改訂日と、等を有する。前記構成分子は、前記構成分母の個数分の前記親商品を作るのに必要となる前記子商品の個数である。図５に示す構成マスタ１０６ａは、「構成分母＝１」である場合のマスタ設定例、すなわち、「構成分子＝前記親商品１個を作るのに必要となる前記子商品の個数」である場合のマスタ設定例である。
【００２９】
前記リビジョン識別データは、順序を表せる記号であれば如何なるものであってもよく、数字に限定されず、例えば、アルファベット等の文字であってもよい。
【００３０】
なお、構成マスタ１０６ａは、図２に示すように、製造構成親品目マスタと製造構成子品目マスタとに分かれていてもよい。図２において、※を付した項目が、キー項目である。
【００３１】
制御部１０２は、改訂実行装置１００１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３２】
制御部１０２は、機能概念的に、例えば、（１）親商品を識別するための親商品識別データと前記親商品についての複数の改訂の版を識別するためのリビジョン識別データと前記親商品が属する品種を識別するための品種識別データと前記親商品を構成する子商品を識別するための子商品識別データとを有する、前記親商品ごとの親商品レコードを含む構成マスタから、指定された品種識別データで特定される前記品種に属する前記親商品についての前記親商品識別データを有し、かつ、改訂の対象として指定された前記子商品識別データを有する前記親商品レコードを抽出する抽出手段としての抽出部１０２ａと、（２）前記抽出手段で抽出した前記親商品レコードが有する前記子商品識別データを、改訂後の前記子商品識別データとして指定されたものに改訂し、かつ、前記抽出手段で抽出した前記親商品レコードが有する前記リビジョン識別データを、当該リビジョン識別データで特定される順序の次の順序を特定する前記リビジョン識別データに改訂する改訂手段としての改訂部１０２ｂと、（３）前記指定された品種識別データと、前記改訂手段において改訂の対象となった前記親商品レコードが有する前記親商品識別データと、前記改訂手段における改訂前後の前記リビジョン識別データと、前記改訂手段における改訂前の前記子商品識別データおよび当該改訂前であることを示す旨と、前記改訂手段における改訂後の前記子商品識別データおよび当該改訂後であることを示す旨と、を含む改訂伝票を作成する伝票作成手段としての伝票作成部１０２ｃと、を備えている。
【００３３】
抽出部１０２ａは、親商品コードと親商品についてのリビジョン識別データと品種コードと子商品コード（払出商品コード）とを有する親商品レコードを含む構成マスタ１０６ａから、指定された品種コードで特定される品種に属する親商品についての親商品コードを有し、かつ、改訂の対象として指定された子商品コードを有する親商品レコードを抽出する。
【００３４】
改訂部１０２ｂは、抽出部１０２ａで抽出した前記親商品レコードが有する子商品コードを、改訂後の子商品コードとして指定されたものに改訂し、かつ、抽出部１０２ａで抽出した前記親商品レコードが有するリビジョン識別データを、当該リビジョン識別データで特定される順序の次の順序を特定する前記リビジョン識別データに改訂する。前記リビジョン識別データがリビジョン番号である場合、改訂部１０２ｂは、前記リビジョン番号を、当該リビジョン番号に＋１した前記リビジョン番号に改訂する。
【００３５】
改訂部１０２ｂは、併せて、抽出部１０２ａで抽出した前記親商品レコードが有する、前記親商品１個を作るのに必要となる前記子商品の個数（改訂前数量）を、前記親商品１個を作るのに必要となる、改訂後の前記子商品の前記個数として指定されたもの（改訂後数量）に改訂してもよい。
【００３６】
伝票作成部１０２ｃは、指定された品種コードと、改訂部１０２ｂにおいて改訂の対象となった親商品レコードが有する親商品コードと、改訂部１０２ｂにおける改訂前後のリビジョン識別データと、改訂部１０２ｂにおける改訂前の子商品コードおよび当該改訂前であることを示す旨と、改訂部１０２ｂにおける改訂後の子商品コードおよび当該改訂後であることを示す旨と、を含む改訂伝票を作成する。
【００３７】
［３．処理の具体例］
本項目では、本実施形態に係る処理の具体例を説明する。本項目においては、前記親商品が、機械品の製品（エンジン等）であり、前記子商品が、当該機械品の製品を構成する部品であり、前記リビジョン識別データが、リビジョン番号であり、本実施形態に係る改訂実行装置１００の使用者が、前記機械品の製品の製造業者であるという前提で、説明を進める。なお、本実施形態に係る改訂実行装置１００は、本項目で説明する機械製品以外の分野にも、例えば、食品や化学等の分野においても使用可能である。
【００３８】
［３−１．処理の前提］
まず、以下の［３−２］〜［３−４］で説明する処理を行う前提として、図３に示す自動改訂処理画面のヘッダ部ＭＡ１において、改訂日として「2018/11/7」が指定され、品種コードとして「AP0001〜AP0001」が指定される。なお、本例では、品種コードとして「AP0001」のみを指定した場合の処理について説明するが、例えば、「AP0001〜AP0002」という様に範囲指定したり、あるいは、「AP0001、AP0002」という様に複数指定すれば、複数の品種を対象として包括的に改訂処理を行うことも可能である。
【００３９】
図３の自動改訂処理画面の画面下部における「Ｆ２：行新規」が選択されると、図４に示す改訂部品登録画面が表示される。図４の改訂部品登録画面において、改訂対象となる部品（＝改訂前の部品）の商品コードおよび払出数ならびに改訂後の部品の商品コードおよび払出数が指定される。図４の改訂部品登録画面において設定される具体的な内容は、次段落に示すとおりであるが、留意事項として、図４の改訂部品登録画面においては、払出数は、改訂前および改訂後のいずれもおいても「１」を初期値とし、部品の入替に伴い払出数も変更となる場合に当該初期値「１」を修正することとなる。そして、改訂前後の数量比率に応じて、構成マスタ１０６ａを更新することとなる（ただし、改訂前または改訂後の払出数＝０は、設定不可とする）。
【００４０】
図４の改訂部品登録画面において設定された具体的な内容は、図３の明細部ＭＡ２および図５の改訂対象リストに示すとおりであるが、改めて書き示すと、以下のとおりである。
改訂前の部品コード  改訂前数量    改訂後の部品コード  改訂後数量
AN4110AA                １          AN4110AB              ２
KF00001                １          KF00002                １
KP11240                ２          KP11250                １
NI17400                １          NI17400-2              ２
【００４１】
そして、前段落で説明した設定内容および図５に示す構成マスタ１０６ａに基づいて（＝図５に示す前提に基づいて）、以下の［３−２］〜［３−４］で説明する処理が実行される。
【００４２】
［３−２．抽出処理］
［３−１］で指定された品種コード「AP0001」で特定される品種に属する親商品についての親商品コードを有する親商品レコードは、「AP0001−○○○」を有するレコードである。具体的には、図５の構成マスタ１０６ａを参照すると、親商品コード「AP0001-100」を有するＡおよびＢのレコード、親商品コード「AP0001-200」を有するＣのレコードならびに親商品コード「AP0001-300」を有するＤのレコードの４つのレコードである。
【００４３】
そして、当該４つのレコードのうち、［３−１］で指定された改訂前部品のコード「AN4110AA、KF00001、KP11240またはNI17400」を有する親商品レコードは、図５の構成マスタ１０６ａを参照すると、「AN4110AA」を有するＢのレコード、「KP11240」を有するＣのレコードならびに「AN4110AA」および「KP11240」を有するＤのレコードの３つのレコードである。
【００４４】
以上より、抽出部１０２ａは、図６の左図「リビジョンアップ対象のマスタ（改訂前）」に示すように、Ｂ、ＣおよびＤの親商品レコードを、リビジョン（改訂）の対象として抽出する。
【００４５】
［３−３．改訂処理］
改訂部１０２ｂは、［３−１］において抽出部１０２ａで抽出したＢ、ＣおよびＤの親商品レコードが有する改訂前の部品のコードを、［３−１］で指定された改訂後の部品コードに改訂し、かつ、［３−１］において抽出部１０２ａで抽出したＢ、ＣおよびＤの親商品レコードが有するリビジョン番号を、当該リビジョン番号に＋１したリビジョン番号に改訂する。
【００４６】
具体的に、Ｂの親商品レコードについての改訂処理を、図６を参照しつつ説明する。改訂部１０２ｂは、Ｂの親商品レコードが有する改訂前の部品コード「AN4110AA」を、図６の右図「リビジョンアップ対象のマスタ（改訂後）」における「払出商品コード」の項目に示すように、［３−１］で指定された改訂後の部品コード「AN4110AB」に改訂する。また、改訂部１０２ｂは、Ｂの親商品レコードが有するリビジョン番号「５」を、図６の右図「リビジョンアップ対象のマスタ（改訂後）」における「リビジョン番号」の項目に示すように、５に＋１をすることにより「６」に改訂する。そして、改訂部１０２ｂは、Ｂの親商品レコードが「AN4110AA」について有する改訂前数量（構成分子）「１」を、図６の右図「リビジョンアップ対象のマスタ（改訂後）」における「構成分子」の項目に示すように、［３−１］で「AN4110AB」について指定された改訂後数量「２」に改訂する。更に、改訂部１０２ｂは、Ｂの親商品レコードが有する改訂日「2016/08/01」を、図６の右図「リビジョンアップ対象のマスタ（改訂後）」における「改訂日」の項目に示すように、［３−１］で指定された改訂日「2018/11/07」に改訂する。
【００４７】
改訂部１０２ｂは、ＣおよびＤの親商品レコードについても、図６の右図「リビジョンアップ対象のマスタ（改訂後）」に示すように、前段落と同様の方法で改訂処理を行う。
【００４８】
なお、改訂に際しての注意事項は、以下の１〜７に示すとおりである。
１．改訂の対象は、親商品コードごとの最新リビジョン（改訂日が最大のもの）を対象とし以前のリビジョン構成は改訂対象とはしない。
２．リビジョン採番ルールとして、前のリビジョンに＋１をしていく。
３．改訂対象は、例えば、E/I品（エンドアイテム品）とする。
４．リビジョンアップしたものを前のリビジョンに戻すことはない。たとえ戻ることがあったとしても、それは新しいリビジョンとして追加される。
５．どの製品がリビジョンアップされたかは、改訂伝票で見ることができる。
６．改訂前商品コード＝改訂後商品コードは不可（明細をまたいでチェック）とする。
７．改訂前商品コードの重複は不可とする。
【００４９】
以上、［３−２］および［３−３］で説明した処理を簡単にいうと、本実施形態に係る改訂実行装置１００によれば、改訂対象の部品コードおよび改訂後の部品コードを指定することにより、改訂対象部品を含むすべての構成情報（親商品）について、一括で指定部品（改訂後部品）への入替を行い、かつ、前のリビジョンに＋１して、構成マスタ１０６ａを更新することができる。
【００５０】
［３−４．伝票作成処理］
伝票作成部１０２ｃは、図７に示す改訂伝票を作成する。改訂伝票は、リビジョンアップにより変更のあった部品を一覧化した資料である。改訂伝票を作成することにより、変更内容を明確化し、かつ、他部門との連携を行いやすくすることができる。以下、図７の改訂伝票の内容を詳細に説明する。
【００５１】
図７の改訂伝票において、機種タイプ「AP0001」は、［３−１］の冒頭で指定された品種コード「AP0001」に対応しており、処理日「2018/11/07」は、［３−１］の冒頭で指定された改訂日「2018/11/7」に対応している。
【００５２】
図７の改訂伝票において、１００、２００および３００は、［３−３］において改訂部１０２ｂの改訂の対象となった親商品レコードＢ、ＣおよびＤがそれぞれ有する親商品コード「AP0001-100」、「AP0001-200」および「AP0001-300」に対応している。また、図７の改訂伝票において、１００の右横の番号「５」および「６」は、［３−３］における改訂部１０２ｂによる親商品レコードＢについての改訂前後のリビジョン番号「５」および「６」に対応し、２００の右横の番号「２」および「３」は、［３−３］における改訂部１０２ｂによる親商品レコードＣについての改訂前後のリビジョン番号「２」および「３」に対応し、３００の右横の番号「５」および「６」は、［３−３］における改訂部１０２ｂによる親商品レコードＤについての改訂前後のリビジョン番号「５」および「６」に対応している。
【００５３】
図７の改訂伝票の番号１の明細において、商品コード「AN4110AA」および払出数「１」は、それぞれ、［３−３］における改訂部１０２ｂによる改訂前の部品コード「AN4110AA」および構成分子「１」に対応し、また、「サクジョ」の文字は、当該商品コードおよび当該払出数が改訂前の情報（元情報）であることを示している。これに対して、図７の改訂伝票の番号２の明細において、商品コード「AN4110AB」および払出数「２」は、それぞれ、［３−３］における改訂部１０２ｂによる改訂後の部品コード「AN4110AB」および構成分子「２」に対応し、また、「ツイカ」の文字は、当該商品コードおよび当該払出数が改訂後の情報（更新後情報）であることを示している。
【００５４】
図７の改訂伝票の番号３の明細において、商品コード「KP11240」および払出数「２」は、それぞれ、［３−３］における改訂部１０２ｂによる改訂前の部品コード「KP11240」および構成分子「２」に対応し、また、「サクジョ」の文字は、当該商品コードおよび当該払出数が改訂前の情報（元情報）であることを示している。これに対して、図７の改訂伝票の番号４の明細において、商品コード「KP11250」および払出数「１」は、それぞれ、［３−３］における改訂部１０２ｂによる改訂後の部品コード「KP11250」および構成分子「１」に対応し、また、「ツイカ」の文字は、当該商品コードおよび当該払出数が改訂後の情報（更新後情報）であることを示している。
【００５５】
［４．本実施形態のまとめ］
このように、本実施形態に係る改訂実行装置１００によれば、主に［３−２］および［３−３］で説明したように、ある親商品について当該親商品を構成する子商品の改訂を行う場合に、改訂対象となる子商品を含む親商品すべてについて、子商品の改訂および親商品のリビジョン識別データの改訂を行うことができる。このため、本実施形態に係る改訂実行装置１００によれば、例えば、本来改訂の対象となるはずだった親商品について、子商品の改訂およびリビジョン識別データの改訂の漏れが発生するのを防ぐことができる。特に、親商品がエンジン等の機械品である場合には、子商品である部品の点数は膨大な数となり改訂漏れが発生しやすい状況にあるため、本実施形態に係る改訂実行装置１００は、親商品がエンジン等の機械品である場合において特に有効であると言える。
【００５６】
また、本実施形態に係る改訂実行装置１００によれば、主に［３−４］で説明したように、改訂伝票を作成することで、例えば、改訂の内容を明確化し、かつ、他部門との連携を行いやすくすることができる。
【００５７】
［５．他の実施形態］
本発明は、上述した実施形態以外にも、特許請求の範囲に記載した技術的思想の範囲内において種々の異なる実施形態にて実施されてよいものである。
【００５８】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５９】
また、本明細書中や図面中で示した処理手順、制御手順、具体的名称、各処理の登録データや検索条件等のパラメータを含む情報、画面例、データベース構成については、特記する場合を除いて任意に変更することができる。
【００６０】
また、改訂実行装置１００に関して、図示の各構成要素は機能概念的なものであり、必ずしも物理的に図示の如く構成されていることを要しない。
【００６１】
例えば、改訂実行装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて改訂実行装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６２】
また、このコンピュータプログラムは、改訂実行装置１００に対して任意のネットワークを介して接続されたアプリケーションプログラムサーバに記憶されていてもよく、必要に応じてその全部または一部をダウンロードすることも可能である。
【００６３】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６４】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６５】
記憶部に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６６】
また、改訂実行装置１００は、既知のパーソナルコンピュータまたはワークステーション等の情報処理装置として構成してもよく、また、任意の周辺装置が接続された当該情報処理装置として構成してもよい。また、改訂実行装置１００は、当該装置に本実施形態で説明した処理を実現させるソフトウェア（プログラムまたはデータ等を含む）を実装することにより実現してもよい。
【００６７】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６８】
本発明は、例えば、製造業において有用であり、特に、機械品の様に多数の部品からなる製品を扱う業界においては極めて有用である。
【符号の説明】
【００６９】
１００  改訂実行装置
１０２  制御部
１０２ａ  抽出部
１０２ｂ  改訂部
１０２ｃ  伝票作成部
１０４  通信インターフェース部
１０６  記憶部
１０６ａ  構成マスタ
１０８  入出力インターフェース部
１１２  入力装置
１１４  出力装置
２００  サーバ
３００  ネットワーク
【図１】
2020154494.tif 000003
【図２】
2020154494.tif 000004
【図３】
2020154494.tif 000005
【図４】
2020154494.tif 000006
【図５】
2020154494.tif 000007
【図６】
2020154494.tif 000008
【図７】
2020154494.tif 000009